(57)【特許請求の範囲】
【請求項１】
発音体を含むスピーカユニットを接続部材を介して取り付けるスピーカユニット取り付け用ブラケットであって、
基板部と該基板部を被うカバー部とを備え、
前記基板部に配置された電圧変換器と、前記基板部に配置されたボリューム調整用の可変抵抗器とを、前記カバー部で被われる内部に配置し、
前記可変抵抗器を外部から操作可能とするための穴を前記カバー部に設け、
前記基板部の、前記電圧変換器および前記可変抵抗器が配置されている側と反対する側は、取付部を備える
ことを特徴とするスピーカユニット取り付け用ブラケット。
【請求項２】
請求項１に記載のスピーカユニット取り付け用ブラケットと、
左右方向の重量バランスが取れるように発音体であるスピーカを左右位置の中央に配置したスピーカユニットと、
前記ブラケットに前記スピーカユニットを固定する接続部材と
を備えることを特徴とする設備用スピーカ。
【請求項３】
請求項２に記載の設備用スピーカにおいて、
前記接続部材は、前記ブラケットに対して前記スピーカユニットを上下方向および左右方向に任意に位置決めして固定するための２軸のそれぞれで回動可能とする構成を備えることを特徴とする設備用スピーカ。
【発明の詳細な説明】
【技術分野】
【０００１】
この発明は、壁や天井にスピーカユニットを取り付ける際に用いるブラケットおよび該ブラケットを用いた設備用スピーカに関する。
【背景技術】
【０００２】
下記特許文献１は、従来より知られている設備用スピーカであり、サーフェイス・マウント・スピーカ（Surface Mount Speaker）の一例である。サーフェイス・マウント・スピーカとは、設備用スピーカの一種であり、壁や天井に取り付けるタイプのスピーカ（広義）である。従来、サーフェイス・マウント・スピーカを壁や天井に取り付ける場合、ブラケットを壁や天井に固定し、該ブラケットに、接続部材を介してスピーカユニットを取り付けていた。なお、本願において「スピーカユニット」とは、発音体である狭義のスピーカを内蔵した筐体部分、すなわちサーフェイス・マウント・スピーカの本体部分を指すものとする。また、「ブラケット」とは、壁や天井にネジ止めなどの方法により固定され、接続部材を介してスピーカユニットを取り付ける部材を指すものとする。
【先行技術文献】
【特許文献】
【０００３】
【特許文献１】サーフェイス・マウント・スピーカ  ＶＸＳ５，ＶＸＳ５Ｗ  仕様書  ２０１４年１月  ヤマハ株式会社  http://www.yamahaproaudio.com/japan/ja/products/speakers/vxs/index.jsp
【発明の概要】
【発明が解決しようとする課題】
【０００４】
上述した従来のサーフェイス・マウント・スピーカのスピーカユニットは、いわゆるハイインピーダンス駆動するため、筐体内に、発音体である狭義のスピーカの他に電圧変換器（マッチングトランス）等も備えている。そのため、スピーカユニットの重量が重くなり、ブラケットとの間の接続部材に大きな荷重をかけていた。
【０００５】
また、設計上、トランスをスピーカユニットの左右の中心に配置することが困難であるため、スピーカユニットの左右の重量バランスが崩れるという問題があった。
【０００６】
本発明の目的は、スピーカユニットとブラケットとを接続する接続部材にかかる荷重負荷を軽減し、スピーカユニットの左右の重量バランスを保つようにすることにある。
【課題を解決するための手段】
【０００７】
上記目的を達成するため、請求項１に係る発明は、発音体を含むスピーカユニットを接続部材を介して取り付けるスピーカユニット取り付け用ブラケットであって、基板部と該基板部を被うカバー部とを備え、前記基板部に配置された電圧変換器と、前記基板部に配置されたボリューム調整用の可変抵抗器とを、前記カバー部で被われる内部に配置し、前記可変抵抗器を外部から操作可能とするための穴を前記カバー部に設け、前記基板部の、前記電圧変換器および前記可変抵抗器が配置されている側と反対する側は、取付部を備えることを特徴とする。
【０００９】
請求項２に係る発明は、請求項１に記載のスピーカユニット取り付け用ブラケットと、左右方向の重量バランスが取れるように発音体であるスピーカを左右位置の中央に配置したスピーカユニットと、前記ブラケットに前記スピーカユニットを固定する接続部材とを備えることを特徴とする設備用スピーカである。
【００１０】
請求項３に係る発明は、請求項２に記載の設備用スピーカにおいて、前記接続部材は、前記ブラケットに対して前記スピーカユニットを上下方向および左右方向に任意に位置決めして固定するための２軸のそれぞれで回動可能とする構成を備えることを特徴とする。
【発明の効果】
【００１１】
本発明によれば、重量がある電圧変換器をブラケット内部に配置したので、スピーカユニットの重量が軽くなり、スピーカユニットとブラケットとを接続する接続部材にかかる荷重負荷を軽減することができる。また、ボリューム調整用の可変抵抗器をブラケット内部に配置することでさらにスピーカユニットの重量を軽減することができる。スピーカユニットにおいては、内部の主要な部品が発音体である狭義のスピーカのみとなるので、スピーカを左右位置の中央に配置することで、スピーカユニットの左右の重量バランスを保つことができる。ブラケットとスピーカユニットを接続する接続部材を２軸のそれぞれで回動可能な構成とすることで、ユーザはブラケットに対してスピーカユニットを上下方向および左右方向に任意に位置決めして固定することができる。
【図面の簡単な説明】
【００１２】
【図１】本発明の実施形態であるスピーカユニットとブラケットの斜視図および側面図
【図２】スピーカユニットとブラケットの正面図および断面図
【図３】スピーカユニットとブラケットの背面図
【図４】ブラケット内部の基板部の斜視図（その１およびその２）
【図５】ブラケット内部の基板部の斜視図（その３）
【図６】第１および第２接続部材の斜視図
【発明を実施するための形態】
【００１３】
以下、図面を用いて本発明の実施の形態を説明する。
【００１４】
図１（ａ）は本発明を適用した実施形態のスピーカユニットとブラケットの斜視図であり、図１（ｂ）はその右側面図、図２（ａ）はその正面図である。なお、以下で説明する各図において、同一の付番は同一のものを表すものとする。
【００１５】
１０１は部屋の壁や天井などに固定するブラケット、１０３はスピーカユニットを示す。ブラケット１０１は、基板部とカバー部からなる。基板部には、マッチングトランス、音量調節用の可変抵抗器（ボリューム）、および接続端子などが配置されている。マッチングトランスは、ハイインピーダンス接続用の電圧変換器である。カバー部は、任意の方法で基板部を被うように固定される。１０２はブラケット１０１の基板部に配置されたボリュームのシャフトの先端に付けられたツマミ部分であり、カバー部に空けられた穴から例えばマイナスドライバで回転操作することができる。スピーカユニット１０３は、内部に発音体であるスピーカ（狭義）を備える。
【００１６】
なお、ブラケット１０１は取り付け可能であれば任意の位置に取り付けることができるので絶対的な上下左右方向は決まらないが、ここでは便宜上、図１（ｂ）に示した座標軸１９０のＹ軸方向を前方向、Ｚ軸方向を上方向、Ｘ軸に平行な方向を左右方向とする。１０４がスピーカユニット１０３の前面部である。図２（ａ）の２０１は、スピーカユニット１０３内のスピーカ（狭義）の開口部を示す。前面部１０４には、該スピーカ（狭義）の開口部を被うカバーが設けられている。
【００１７】
図１（ｂ）の１０５と１０６は、ブラケット１０１とスピーカユニット１０３とを接続する接続部材を示す。１０５は第１接続部材、１０６は第２接続部材である。これらの接続部材については後に詳述するが、第１接続部材１０５の一端はブラケット１０１の基板部に固定され、第２接続部材の一端はスピーカユニット１０３に固定される。ブラケット１０１とスピーカユニット１０３とは、第１接続部材１０５と第２接続部材１０６とをネジ止めすることで、固定される。
【００１８】
接続部材１０５，１０６は、２軸の各軸回りに回動させた上で固定できる構造を持つ。まず、第１接続部材１０５は、その長手方向（Ｚ軸に平行な方向）を軸とし、該軸回りに回動させた上で固定できる。これにより、スピーカユニット１０３は、壁などに固定されたブラケット１０１に対して、正面（前面１０４側）から見て左右方向に、すなわち図１（ａ）の矢印Ｙ１のように、回動させた上で任意の位置で固定できる。さらに、第１接続部材１０５と第２接続部材１０６とをネジ止めする際、そのネジの軸回り（Ｘ軸に平行な軸回り）に任意に回動させた上で両接続部材を固定できる。これにより、スピーカユニット１０３は、壁などに固定されたブラケット１０１に対して、正面から見て上下方向に、すなわち図１（ｂ）の矢印Ｙ２のように、回動させた上で任意の位置で固定できる。なお、当然であるが、ブラケット１０１とスピーカユニット１０３の全体の形状や取り付ける壁などの形状により上記矢印Ｙ１，Ｙ２の回動には制限がある。
【００１９】
図２（ｂ）は、図２（ａ）のＡ−Ａ断面を示す。２０２はブラケット１０１内に配置されているトランスを示す。本実施形態の特徴の１つは、通常はスピーカ（狭義）と同じ筐体内に配置するトランスを、ブラケット１０１側に配置したことにある。これにより、スピーカユニット１０３内にトランスを配置せずに済むので、スピーカユニット１０３は、その重量を軽量に抑えることができる。そのため、接続部材１０５，１０６への荷重負荷は軽減できる。
【００２０】
さらに、スピーカユニット１０３内にトランスを配置せずに済むので、スピーカユニット１０３内で重量を持つ主要な部品は発音体であるスピーカ（狭義）程度である。そこで、本実施形態では、スピーカ（狭義）をスピーカユニット１０３の左右方向の中心位置に配置するようにした。これにより、スピーカユニットの左右の重量バランスを適正に保つことができる。なお、前提として、スピーカユニット１０３内に配置するスピーカ（狭義）自体を左右の重量バランスの取れたものとし、また該スピーカ（狭義）を取り去った状態のスピーカユニット１０３の筐体自体も左右の重量バランスの取れたものとすることは当然である。
【００２１】
図３は、ブラケット１０１とスピーカユニット１０３の背面図である。３０１はブラケット１０１内部の基板部である。３０２Ａ〜３０２Ｄは、該基板部３０１の四隅に空けられた取り付け用の穴である。この穴３０２Ａ〜３０２Ｄを利用して、壁などに基板部３０１をネジ止めなどで固定する。３０３は第１接続部材１０５と第２接続部材１０６とをネジ止めしているネジを示す。
【００２２】
図４（ａ）は、ブラケット１０１内部の基板部の斜視図（その１）を示す。図４（ｂ）は、図４（ａ）から本願において技術的関連の低い部分を取り去った斜視図（その２）を示す。基板部３０１は、トランス４０１、可変抵抗器４０２、および接続端子４０３などを備える。トランス４０１は、図２（ｂ）の断面２０２に相当する部分である。可変抵抗器４０２のシャフト先端にはツマミ部１０２が取り付けられている。図１で説明したように、ブラケット１０１のカバー部に空けられた穴からこのツマミ部１０２が覗くようになっている。接続端子４０３は、アンプからの出力信号を入力するライン入力端子およびスピーカユニット１０３内のスピーカ（狭義）に接続する出力端子である。なお、本願では電気的な配線はすべて省略する。４０４は第２接続部材１０６の一端に空けられた穴を示し、この穴４０４を利用してネジ止めなどにより第２接続部材１０６をスピーカユニット１０３に固定する。
【００２３】
図５は、基板部の斜視図（その３）を示す。図５は、図４（ｂ）の状態からさらにトランス４０１と可変抵抗器４０２などを取り去った状態である。４１１は、基板部３０１の下側の端部を断面Ｌ字型に折り曲げた取り付け部である。取り付け部４１１の中央付近には穴５０１が空けられており、この穴５０１に第１接続部材１０５をネジ５０２によりネジ止めする。
【００２４】
図６（ａ）は第１接続部材１０５の斜視図、図６（ｂ）は第２接続部材１０６の斜視図を示す。第１接続部材１０５は、ほぼ四角柱の形状の上部部材１０５Ａと下部部材１０５Ｂからなる。上部部材１０５Ａと下部部材１０５Ｂとは、互いに矢印Ｙ６１のように回動可能に嵌合されている。上部部材１０５Ａと下部部材１０５Ｂの四角柱形状の軸位置にはネジ止め用の穴６０２が空けられている。上部部材１０５Ａの上面には四隅にツメ６０１Ａ〜６０１Ｄが設けられている。図４，５に図示した取り付け部４１１の下面には上述のツメ６０１Ａ〜６０１Ｄを嵌め込む凹部が設けられている。この凹部に上記のツメ６０１Ａ〜６０１Ｄを嵌め込み、ネジ５０１で、上部部材１０５Ａと下部部材１０５Ｂを取り付け部４１１にネジ止めする。このとき上部部材１０５Ａに対して下部部材１０５Ｂを矢印Ｙ６１のように回動させた上でネジ止めすることにより、図１の矢印Ｙ１で説明したスピーカユニット１０３の左右方向の位置決めを行うことができる。
【００２５】
第１接続部材１０５の下部部材１０５Ｂの上部部材１０５Ａと反対の側には、側面から少し削り取られるような形で、円形の接触面６０３が形成されている。円形の接触面６０３の中心部には第２接触部材１０６の穴６１５に挿入される円筒部６０４が設けられ、該円筒部６０４の中心部にはネジ止め用の穴６０５が形成されている。円形の接触面６０３と円筒部６０４との間は、後述する第２接続部材１０６の円筒部６１４が挿入される中空部６０６となっている。第２接続部材１０６は、板状部６１１と該板状部６１１の先端片面に設けられたＵ字部６１２とからなる。Ｕ字部６１２の内側面には円形の接触面６１３が形成されている。円形の接触面６１３の内側には、第１接触部材１０５の中空部６０６に挿入される円筒部６１４が設けられ、該円筒部６１４の中心部にはネジ止め用の穴６１５が形成されている。
【００２６】
第１接続部材１０５の円筒部６０４が第２接続部材１０６の穴６１５に挿入され、第２接続部材１０６の円筒部６１４が第１接続部材１０５の中空部６０６に挿入されるようにして、両接触面６０３と６１３とを合わせ、図５に示すようにネジ５０３でネジ止めする。両接触面６０３と６１３には滑り止めのための粗面処理が施されているので、ネジ止めにより強固に固定される。また、ネジ止めする際には、第１接続部材１０５に対して第２接続部材１０６を図５の矢印Ｙ５１のように回動させた上でネジ止めすることにより、図１の矢印Ｙ２で説明したスピーカユニット１０３の上下方向の位置決めを行うことができる。なお、接触面６０３および６１３には表面処理に替えて、所定の角度ごとに形成された噛み合い構造を採用しても良い。この場合、ユーザは第１接続部材１０５と第２接続部材１０６との相対位置を所定の角度ごとに調節することができる。
【００２７】
なお、上記実施形態では、ブラケット１０１をネジ止めで壁などに固定する例を説明したが、ブラケット１０１を壁に埋め込んでもよい。
【符号の説明】
【００２８】
１０１…ブラケット、１０３…スピーカユニット、１０５…第１接続部材、１０６…第２接続部材、２０１…スピーカ（狭義）、２０２，４０１…トランス。
【図１】
0006661970.tif 000002
【図２】
0006661970.tif 000003
【図３】
0006661970.tif 000004
【図４】
0006661970.tif 000005
【図５】
0006661970.tif 000006
【図６】
0006661970.tif 000007